(57)【要約】【課題】この発明はマットレスカバーに収容部を設け、この収容部に対して小物類を出し入れし易くしたマットレスカバーを提供することにある。【解決手段】マットレスに被着されるマットレスカバー６であって、  カバー本体６ａと、カバー本体のマットレスの幅方向の側面を覆う部分に設けられ斜めに開口した開口部１１及び開口部に連通する袋体１３を有する小物類を収容するための収容部８とを具備する。【選択図】図２
2009213501.tif 000002
【特許請求の範囲】
【請求項１】
マットレスに被着されるマットレスカバーであって、
カバー本体と、
このカバー本体の上記マットレスの幅方向の側面を覆う部分に設けられ斜めに開口した開口部及びこの開口部に連通する袋体を有する小物類を収容するための収容部と
を具備したことを特徴とするマットレスカバー。
【請求項２】
上記袋体は上記マットレスカバーの内面に設けられ、上記開口部は上記マットレスカバーに形成されていることを特徴とする請求項１記載のマットレスカバー。
【請求項３】
上記袋体の開口部の周縁に縁部材を設けたことを特徴とする請求項２記載のマットレスカバー。
【請求項４】
上記袋体は上記マットレスカバーの外面に設けられ、この袋体の上端が上記開口部に形成されていることを特徴とする請求項１記載のマットレスカバー。
【請求項５】
マットレスに被着されるマットレスカバーであって、
カバー本体と、
このカバー本体の上記マットレスの幅方向の側面を覆う部分に設けられた開口部及びこの開口部に連通して上記側面の内面側に設けられた袋体を有する小物類を収容するための収容部と
を具備したことを特徴とするマットレスカバー。
【発明の詳細な説明】
【技術分野】
【０００１】
この発明はマットレスに被着される布製のマットレスカバーに関する。
【背景技術】
【０００２】
ベッド装置に用いられるマットレスには、上面にベッドパッドが載置され、このベッドパッドとともに上記マットレスは布製のマットレスカバーによって覆われる。このマットレスカバーは上記マットレスの上面だけでなく、側面及び下面の周辺部を覆うことができるよう袋状に形成されている。
【０００３】
ベッド装置を利用する場合、通常、ベッド装置のヘッドボードの側方にサイドテーブルを設置し、就寝時には利用者がマットレス上で使用した、たとえば空調機器やテレビのリモートコントローラ、或いは眼鏡などの小物類を上記サイドテーブル上に載置するようにしている。
【０００４】
しかかしながら、ベッド装置が設置される部屋の大きさや利用者の好みなどによってベッド装置のヘッドボードの側方にサイドテーブルを設置しないことがあり、そのような場合、利用者は就寝時にマットレス上で利用した小物類を置く場所がなく、不便であるということがあった。
【０００５】
そこで、特許文献１では、帯状の布の長手方向の両端に布の中央側に開口した袋状の容器を形成し、この布をマットレスの幅方向に沿って掛け渡す。それによって、上記容器の開口部がマットレスの側面で、垂直方向上方に向くから、マットレス上の利用者は上記容器を小物類の収容部として利用する、というものである。
【特許文献１】実開昭５７−９３２５１号公報
【発明の開示】
【発明が解決しようとする課題】
【０００６】
ところで、容器の開口部が垂直方向上方を向いていると、利用者がマットレス上で上半身を起こしている状態の時には上記容器に対して比較的小物類の出し入れがし易いのだが、利用者がマットレス上で仰臥している状態の時には腕の伸縮方向と、容器の開口部の開口方向が異なるから、上記容器に対して小物類を出し入れし難いということがあった。
【０００７】
しかも、帯状の布に上記容器を設けるようにすると、容器を設けるために専用の布を用意しなければならないから、その分、コストの上昇を招くということもあった。
【０００８】
この発明は、カバー本体のマットレスの側面を覆う部分に、開口部を斜めにして小物類を収容する収容部を設けることで、マットレスの利用者が収容部を利用し易くし、しかも収容部をマットレスカバーに設けることで、専用の部材を用いることなく、収容部を設けることができるようにしたマットレスカバーを提供することにある。
【課題を解決するための手段】
【０００９】
この発明は、マットレスに被着されるマットレスカバーであって、
カバー本体と、
このカバー本体の上記マットレスの幅方向の側面を覆う部分に設けられ斜めに開口した開口部及びこの開口部に連通する袋体を有する小物類を収容するための収容部と
を具備したことを特徴とするマットレスカバーにある。
【００１０】
上記袋体刃上記マットレスカバーの内面に設けられ、上記開口部は上記マットレスカバーに形成されていることが好ましい。
【００１１】
上記袋体の開口部の周縁に縁部材を設けたことが好ましい。
【００１２】
上記袋体は上記マットレスカバーの外面に設けられ、この袋体の上端が上記開口部に形成されていることが好ましい。
【００１３】
この発明は、マットレスに被着されるマットレスカバーであって、
カバー本体と、
このカバー本体の上記マットレスの幅方向の側面を覆う部分に設けられた開口部及びこの開口部に連通して上記側面の内面側に設けられた袋体を有する小物類を収容するための収容部と
を具備したことを特徴とするマットレスカバーにある。
【発明の効果】
【００１４】
この発明によれば、収容部の開口部が斜めに形成されているため、その開口方向がマットレス上に仰臥した利用者の腕の伸縮方向に近くなる。そのため、マットレス上の利用者は仰臥した状態での上記収容部に対する小物類の出し入れを比較的容易に行なうことが可能となる。しかも、マットレスカバーを利用して袋体を設けるため、コスト的に有利となる。
【００１５】
また、この発明によれば、袋体をマットレスカバーの内面側に設けたから、外観的に体裁がよく、しかも袋体が邪魔になることがないということがある。
【発明を実施するための最良の形態】
【００１６】
以下、この発明の実施の形態を図面を参照しながら説明する。  
図１乃至図３はこの発明の第１の実施の形態であって、図１はベッド装置１を示し、このベッド装置１はベッドフレーム２を有し、このベッドフレーム２は長手方向一端にヘッドボード３、他端にフットボード４が設けられている。
【００１７】
上記ベッドフレーム２にはマットレス５が載置されていて、このマットレス５には布地を袋状に縫製したマットレスカバー６が被着されている。このマットレスカバー６はカバー本体６ａを有し、このカバー本体６ａは上記マットレス５の下面中央部分を除く部分を覆っている。
【００１８】
上記カバー本体６ａには、上記マットレス５の上記ヘッドボード３側に位置する長手方向の一端部で、上記マットレス５の幅方向両側面を被覆した側面部６ｂにそれぞれ４つの収容部８が設けられている。
【００１９】
上記収容部８は図２と図３に示すように上記カバー本体６ａの各側面部６ｂに上記ヘッドボード３側に向かって低く傾斜して形成された直線状の開口部１１を有する。開口部１１の周縁は布或いは樹脂などの帯状シートからなる縁部材１２によって縁取られている。縁部材１２はベッドカバー６を構成する布地よりも厚手の布地を用いるなどして開口部１１の形状を維持することができる硬さとなっている。
【００２０】
上記側面部６ｂの内面には上記開口部１１とで上記収容部８を形成する袋体１３が設けられている。この袋体１３は、図３に示すように布地によって上端が開口した袋状に縫製されていて、開口した上端部が上記開口部１１の周縁に設けられた縁部材１２とともに上記側面部６ｂの内面に縫製されている。それによって、上記開口部１１から上記袋体１３に図２に鎖線で示すようにリモートコントローラや眼鏡などの小物類１４を収容することができるようになっている。
【００２１】
このような構成のマットレスカバー６によれば、そのカバー本体６ａの側面部６ｂに収容部８を設けるとともに、この収容部８の開口部１１を斜めに傾斜するようにした。すなわち、開口部１１をヘッドボード３に向かって低く傾斜させて形成した。
【００２２】
そのため、マットレス５上に利用者が仰臥して上記収容部８に小物類１４を出し入れする場合、上記収容部８の開口部１１の開口方向が垂直方向上方に向いている場合に比べて利用者の腕の伸縮方向に向かって開口することになるから、上記開口部１１に対する小物類１４の出し入れを比較的容易に行なうことが可能となる。
【００２３】
上記収容部８を構成する袋体１３をカバー本体６ａの側面部６ｂの内面に設けるようにした。そのため、外面に設けた場合のように袋体１３が邪魔になったり、ものを引っ掛けて損傷させるようなことがないばかりか、外部に露出している場合に比べて外観的にも体裁がよい。
【００２４】
上記収容部８を構成する開口部１１をカバー本体６ａの側面部６ｂに開口形成し、この開口部１１の周縁を縁部材１２によって縁取りした。そのため、開口部１１が縁部材１２によって補強されて開口部１１の形状が維持されるから、外観的に良好であり、しかも形状が維持されることで、小物類の出し入れを容易に行なうことが可能となる。
【００２５】
上記収容部８をマットレスカバー６に設けるようにした。そのため、マットレスカバー６でない、別の帯状の布地に収容部８を形成する場合に比べて使用する材料が少なくて済むから経済的である。
【００２６】
さらに、マットレス５が背上げベッドに用いられる場合、背上げしたマットレス５が屈曲させられたときに、屈曲前に傾斜していたか遭い後部１１が垂直方向上方に開口する、ほぼ水平状態になるから、上半身を起こした利用者が上記収容部８に対して小物類１４を出し入れし易くなるということもある。
【００２７】
図４はこの発明の第２の実施の形態を示す。この実施の形態はマットレスカバー６のカバー本体６ａの両側面部６ｂの外面にそれぞれ４つの収容部８Ａを設けるようにしている。すなわち、側面部６ｂの外面に袋体１３Ａを縫製し、その上端の開口部１１Ａをヘッドボード３側に向かって低くなるよう傾斜させるようにした。
【００２８】
このような構成であっても、開口部１１Ａが傾斜していることで、マットレス５の上面に仰臥した利用者が上記収容部８Ａに対する小物類１４（図２に示す）の出し入れを容易に行なうことが可能になる。
【００２９】
この第２の実施の形態において、図示はしないが、上記袋体１３Ａの上端縁、つまり開口部１１Ａを形成する部分に縁部材を設けるようにしてもよい。
【００３０】
なお、この発明の実施の形態において、ベッドカバーの側面部に設けられる収容部の数は限定されるものではない。また、開口部の傾き角度も限定されず、要はマットレス上に仰臥した利用者が使い易い角度となるよう、ヘッドボード側に向かって低く傾斜していればよい。
【００３１】
また、第１の実施の形態において、収容部の開口部を斜めに形成したが、斜めに形成せずに袋体を側面部の内面側に設けるだけであっても、上記袋体が邪魔になることがないということや外観の向上を図ることができるなどの利点を有する。
【図面の簡単な説明】
【００３２】
【図１】この発明の第１の実施の形態を示すベッド装置の斜視図。
【図２】マットレスカバーの収容部が設けられた部分の側面部を示す正面図。
【図３】マットレスカバーの収容部が設けられた部分の断面図。
【図４】この発明の第２の実施の形態を示すベッド装置の斜視図。
【符号の説明】
【００３３】
５…マットレス、６…マットレスカバー、８…収容部、１１…開口部、１２…縁部材、１３…袋体１４…小物類。
【図１】
2009213501.tif 000003
【図２】
2009213501.tif 000004
【図３】
2009213501.tif 000005
【図４】
2009213501.tif 000006